(57)【要約】【課題】滑らかに変化する任意のコントラストカーブを用いてコントラストを調整する。【解決手段】入力するソースにおける黒点と白点と１つ以上の中間点（ｎ個）の明度と、各点における出力明度と、ｘ軸を入力明度とすると共にこのｘ軸に直交するｙ軸を出力明度としたときの各点の傾きと、からなるパラメーターを設定し（Ｓ２００）、黒点から白点に向けて入力明度の小さい方から順に２点を始点と終点として３次方程式とその微分式（ｄｙ／ｄｘ）に代入して４つの式からなる連立方程式を作成し（Ｓ２１０）、この連立方程式を解いて３次曲線を求め（Ｓ２２０）、各２点間で得られる３次曲線により黒点から白点までを繋いでコントラストカーブとする（Ｓ２４０）。中間点の座標と傾きとを調整することにより、中間点近傍のコントラストカーブを所望のものに調整し、中間点付近のコントラストを所望のものとすることができる。【選択図】図３
2011211504.tif 000002
【特許請求の範囲】
【請求項１】
入力したＲＧＢソースに対して、ガンマ変換、色彩値空間への変換、ガマットマッピン
グを施して出力デバイスのＣＭＹの出力量を導出する色変換においてコントラストを調整
するコントラスト調整方法であって、
黒点と白点と少なくとも一つの中間点との各々に対して、入力明度をｘ軸とすると共に
出力明度をｙ軸としたときに、ｘ軸とｙ軸とを直交させてなるｘｙ平面における座標（ｘ
，ｙ）とｘｙ平面における傾き（ｇ＝ｄｙ／ｄｘ）とをパラメータとして設定し、該設定
したパラメータを満たすように前記黒点と前記白点と前記中間点とを滑らかな曲線により
接続してなるコントラストカーブを設定し、前記設定したコントラストカーブを用いたコ
ントラスト処理をＲＧＢソースに対する前記色彩値空間への変換とガマットマッピングと
の間で施す、
ことを特徴とするコントラスト調整方法。
【請求項２】
請求項１記載のコントラスト調整方法であって、
前記滑らかな曲線は、複数の数学的な曲線を連結してなる、
コントラスト調整方法。
【請求項３】
請求項２記載のコントラスト調整方法であって、
前記滑らかな曲線は、複数の３次元曲線を連結してなる、
コントラスト調整方法。
【請求項４】
請求項３記載のコントラスト調整方法であって、
前記滑らかな曲線は、前記黒点から前記中間点を経由して前記白点に亘る各点において
、始点として選択する点のパラメータを（ｘｓ、ｙｓ、ｇｓ）とし、終点として次に選択
する点のパラメータを（ｘｅ、ｙｅ、ｇｅ）としたときに、該パラメータを次式（１），
（２）に代入して得られる式（３）〜（６）の４つの式からなる連立方程式の解から得ら
れる３次曲線で該２点を結ぶ曲線として連結してなる、
コントラスト調整方法。
ｙ＝ａｘ3＋ｂｘ2＋ｃｘ＋ｄ                        （１）
ｇ＝３ａｘ2＋２ｂｘ＋ｃ                           （２）
ｙｓ＝ａ（ｘｓ）3＋ｂ（ｘｓ）2＋ｃ（ｘｓ）＋ｄ    （３）
ｇｓ＝３ａ（ｘｓ）2＋２ｂ（ｘｓ）＋ｃ             （４）
ｙｅ＝ａ（ｘｅ）3＋ｂ（ｘｅ）2＋ｃ（ｘｅ）＋ｄ    （５）
ｇｅ＝３ａ（ｘｅ）2＋２ｂ（ｘｅ）＋ｃ             （６）
【発明の詳細な説明】
【技術分野】
【０００１】
本発明は、コントラスト調整方法に関し、詳しくは、ＲＧＢソースに対して、ガンマ変
換、色彩値空間への変換、ガマットマッピングを施して出力デバイスのＣＭＹの出力量を
導出する色変換においてコントラストを調整するコントラスト調整方法に関する。
【背景技術】
【０００２】
従来、この種の色変換方法としては、ＲＧＢソースに対して、ガンマ変換、色彩値空間
への変換、ガマットマッピングを施して出力デバイスのＣＭＹの出力量を導出するものが
提案されている（例えば、特許文献１参照）。この色変換方法では、入力ソースに対する
コントラストの調整は、ガンマ変換によるコントラストカーブにより行なわれている。
【先行技術文献】
【特許文献】
【０００３】
【特許文献１】特開２００７−１２４２４３号公報
【発明の概要】
【発明が解決しようとする課題】
【０００４】
しかしながら、上述の色変換方法では、ＲＧＢソースを入力してプリントすると、好ま
しいコントラストが得られない場合がある。例えば、印刷メディアとして光沢紙を用いる
場合には、良好なコントラストの画像が印刷されるが、普通紙などの明度レンジの狭いメ
ディアを用いると、ガンマ変換によるコントラストカーブだけではコントラストが不足し
、いわゆる「眠い」出力となってしまう。
【０００５】
本発明のコントラスト調整方法は、滑らかに変化する任意のコントラストカーブを用い
てコントラストを調整することを主目的とする。
【課題を解決するための手段】
【０００６】
本発明のコントラスト調整方法は、上述の主目的を達成するために以下の手段を採った
。
【０００７】
本発明のコントラスト調整方法は、
入力したＲＧＢソースに対して、ガンマ変換、色彩値空間への変換、ガマットマッピン
グを施して出力デバイスのＣＭＹの出力量を導出する色変換においてコントラストを調整
するコントラスト調整方法であって、
黒点と白点と少なくとも一つの中間点との各々に対して、入力明度をｘ軸とすると共に
出力明度をｙ軸としたときに、ｘ軸とｙ軸とを直交させてなるｘｙ平面における座標（ｘ
，ｙ）とｘｙ平面における傾き（ｇ＝ｄｙ／ｄｘ）とをパラメータとして設定し、該設定
したパラメータを満たすように前記黒点と前記白点と前記中間点とを滑らかな曲線により
接続してなるコントラストカーブを設定し、前記設定したコントラストカーブを用いたコ
ントラスト処理をＲＧＢソースに対する前記色彩値空間への変換とガマットマッピングと
の間で施す、
ことを特徴とする。
【０００８】
この本発明のコントラスト調整方法では、黒点と白点と少なくとも一つの中間点に所望
のパラメータを設定することにより、パラメータを満たすように黒点と白点と少なくとも
一つの中間点とを滑らかな曲線により接続してなるコントラストカーブを設定し、この設
定したコントラストカーブを用いたコントラスト処理をＲＧＢソースに対する色彩値空間
への変換とガマットマッピングとの間で施すことにより、所望のコントラストの出力を得
ることができる。したがって、普通紙などの明度レンジの狭いメディアに対しては入力明
度に対して中間層で出力明度が立ち上がるように中間点の座標と傾きとを設定することに
より、コントラストの高い見栄えのする出力とすることができる。なお、「ＣＭＹの出力
量」には、シアン，マゼンタ，イエローの３色（ＣＭＹ）の出力量だけでなく、シアン，
マゼンタ，イエロー，ブラックの４色（ＣＭＹＫ）の出力量も含まれる。
【０００９】
こうした本発明のコントラスト調整方法において、前記滑らかな曲線は複数の数学的な
曲線を連結してなるものとすることもできる。この場合、前記滑らかな曲線は複数の３次
元曲線を連結してなるものとすることができ、更にこの場合、前記滑らかな曲線は、前記
黒点から前記中間点を経由して前記白点に亘る各点において、始点として選択する点のパ
ラメータを（ｘｓ、ｙｓ、ｇｓ）とし、終点として次に選択する点のパラメータを（ｘｅ
、ｙｅ、ｇｅ）としたときに、該パラメータを次式（１），（２）に代入して得られる式
（３）〜（６）の４つの式からなる連立方程式の解から得られる３次曲線で該２点を結ぶ
曲線として連結してなるものとすることもできる。こうすれば、容易に黒点から少なくと
も一つの中間点と白点とを連続する滑らかな曲線を得ることができる。
【００１０】
ｙ＝ａｘ3＋ｂｘ2＋ｃｘ＋ｄ                        （１）
ｇ＝３ａｘ2＋２ｂｘ＋ｃ                           （２）
ｙｓ＝ａ（ｘｓ）3＋ｂ（ｘｓ）2＋ｃ（ｘｓ）＋ｄ    （３）
ｇｓ＝３ａ（ｘｓ）2＋２ｂ（ｘｓ）＋ｃ             （４）
ｙｅ＝ａ（ｘｅ）3＋ｂ（ｘｅ）2＋ｃ（ｘｅ）＋ｄ    （５）
ｇｅ＝３ａ（ｘｅ）2＋２ｂ（ｘｅ）＋ｃ             （６）
【図面の簡単な説明】
【００１１】
【図１】コントラスト調整方法を用いた色変換処理を示すフローチャート。
【図２】コントラストカーブ作成処理の一例を示すフローチャート。
【図３】１つの中間点を用いたコントラストカーブの作成の様子を示す説明図。
【図４】中間点の傾きによりコントラストが変化する様子を示す説明図。
【発明を実施するための形態】
【００１２】
次に、本発明を実施するための実施形態について説明する。図１は、本発明の一実施形
態としてのコントラスト調整方法を用いた色変換処理を示すフローチャートである。実施
形態の色変換処理は、図示するように、加色法の３原色であるレッド，グリーン，ブルー
（ＲＧＢ）により表わされる色データとしてのＲＧＢソースを入力すると、ＲＧＢソース
に対してガンマ変換により明るさの補正を行ない（ステップＳ１００）、ガンマ変換後の
ＲＧＢによるＸＹＺ座標の色を色彩値空間（例えば、Ｌａｂ空間）に変換し（ステップＳ
１１０）、後述するコントラストカーブ作成処理により作成したコントラストカーブを用
いてコントラスト調整を行ない（ステップＳ１２０）、このコントラスト調整を行なった
色彩値空間の色をガマットマッピングにより色彩値空間におけるプリンターなどの減色法
の３原色であるシアン，マゼンタ，イエロー（ＣＭＹ）やこれにブラック（Ｋ）を用いる
出力デバイスの色再現域に変換し（ステップＳ１３０）、これを出力デバイスのＣＭＹの
各出力量（ＣＭＹ出力量）またはＣＭＹＫの各出力量（ＣＭＹＫ出力量）に変換し（ステ
ップＳ１４０）、これを出力することにより行なう。ガンマ変換や色彩値空間への変換、
ガマットマッピング、ＣＭＹやＣＭＹＫへの変換については、周知の技術を用いており、
本発明の中核をなさないため、これ以上の詳細な説明は省略する。
【００１３】
次に、ステップＳ１２０で用いるコントラストカーブの作成について図２に例示するコ
ントラストカーブ作成処理を用いて説明する。コントラストカーブ作成処理は、まず、入
力するソースにおける黒点と白点と１つ以上の中間点（ｎ個）の明度の座標（ｘｂ，ｘｗ
，ｘ１，ｘ２，・・・，ｘｎ）と、各点における出力明度（ｙｂ，ｙｗ，ｙ１，ｙ２，・
・・，ｙｎ）と、ｘ軸を入力明度とすると共にこのｘ軸に直交するｙ軸を出力明度とした
ときの各点の傾き（ｇｂ，ｇｗ，ｇ１，ｇ２，・・・，ｇｎ）と、からなるパラメーター
を設定する（ステップＳ２００）。この黒点、白点、ｎ個の中間点のパラメータ（入力明
度，出力明度，傾き）は任意である。
【００１４】
次に、黒点から白点に向けて入力明度の小さい方から順に２点を始点（ｘｓ，ｙｓ，ｇ
ｓ）と終点（ｘｅ，ｙｅ，ｇｅ）として選択し、次式（１），（２）に代入して式（３）
〜（６）の４つの式を連立方程式として作成し、この連立方程式を解いて３次曲線を設定
する処理（ステップＳ２１０，Ｓ２２０）を終点が白点に至るまで繰り返し（ステップＳ
２３０）、終点が白点に至ると、得られた全ての３次曲線を対応する２点に描くことによ
り結んでコントラストカーブを作成して（ステップＳ２４０）、処理を終了する。
【００１５】
ｙ＝ａｘ3＋ｂｘ2＋ｃｘ＋ｄ                        （１）
ｇ＝３ａｘ2＋２ｂｘ＋ｃ                           （２）
ｙｓ＝ａ（ｘｓ）3＋ｂ（ｘｓ）2＋ｃ（ｘｓ）＋ｄ    （３）
ｇｓ＝３ａ（ｘｓ）2＋２ｂ（ｘｓ）＋ｃ             （４）
ｙｅ＝ａ（ｘｅ）3＋ｂ（ｘｅ）2＋ｃ（ｘｅ）＋ｄ    （５）
ｇｅ＝３ａ（ｘｅ）2＋２ｂ（ｘｅ）＋ｃ             （６）
【００１６】
図３に、黒点（ｘｂ，ｙｂ，ｇｂ）と１つの中間点（ｘ１，ｙ１，ｇ１）と白点（ｘｗ
，ｙｗ，ｇｗ）を用いてコントラストカーブを作成している様子を示す。図中、曲線Ｌ１
は、黒点と中間点とを結ぶと共に、黒点の傾きが「ｇｂ」であり、且つ、中間点の傾きが
「ｇ１」となる３次曲線であり、曲線Ｌ２は、中間点と白点とを結ぶと共に、中間点の傾
きが「ｇ１」であり、且つ、白点の傾きが「ｇｗ」となる３次曲線である。二つの曲線Ｌ
１，Ｌ２は、中間点において共に傾きが「ｇ１」となっているから、中間点において滑ら
かに繋がれている。したがって、中間点の傾きを変えることにより、中間点近傍のコント
ラストを調整することができる。
【００１７】
図４に、中間点の傾きによりコントラストが変化する様子を示す。図中、実線の曲線Ｌ
１，Ｌ２は上述した図３に示したものと同じであり、一点鎖線の曲線Ｌ３，Ｌ４は、中間
点の傾きを「ｇ１」より小さな「ｇ２」としたときに上述の式（１）〜（６）により得ら
れる黒点と中間点とを結ぶ３次曲線および中間点と白点とを結ぶ３次曲線である。図示す
るように、実線の曲線Ｌ１，Ｌ２からなるコントラストカーブを用いると、入力明度のＬ
ｉｎ１〜Ｌｉｎ２の範囲が出力明度のＬｏ１２１〜Ｌｏ１２２の範囲となり、一点鎖線の
曲線Ｌ３，Ｌ４からなるコントラストカーブを用いると、入力明度のＬｉｎ１〜Ｌｉｎ２
の範囲が出力明度のＬｏ１２１〜Ｌｏ１２２の範囲より狭いＬｏ３４１〜Ｌｏ３４２の範
囲となる。したがって、実線の曲線Ｌ１，Ｌ２からなるコントラストカーブを用いた場合
の方が一点鎖線の曲線Ｌ３，Ｌ４からなるコントラストカーブを用いた場合に比して入力
明度のＬｉｎ１〜Ｌｉｎ２の範囲に対してコントラストの高いものとすることができる。
【００１８】
以上説明した実施形態のコントラスト調整方法によれば、中間点の傾きを調整すること
により、中間点近傍のコントラストを所望のコントラストに調整することができる。この
結果、普通紙などの明度レンジの狭いメディアに対しては入力明度に対して中間層で出力
明度が立ち上がるように中間点の座標と傾きとを設定することにより、コントラストの高
い見栄えのする出力とすることができる。
【００１９】
実施形態のコントラスト調整方法では、黒点から白点に向けて入力明度の小さい方から
順に２点を順に３次曲線により繋ぐものとしたが、黒点から白点に向けて入力明度の小さ
い方から順に２点を順に４次曲線以上のｎ次曲線により繋ぐものとしたり、ベゼー曲線な
どのｎ次曲線以外の曲線を用いて繋ぐものとしてもよい。
【００２０】
以上、本発明を実施するための実施形態について説明したが、本発明はこうした実施形
態に何等限定されるものではなく、本発明の要旨を逸脱しない範囲内において、種々なる
形態で実施し得ることは勿論である。
【産業上の利用可能性】
【００２１】
本発明は、色変換を伴う装置の製造産業などに利用可能である。
【図１】
2011211504.tif 000003
【図２】
2011211504.tif 000004
【図３】
2011211504.tif 000005
【図４】
2011211504.tif 000006